【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
画像符号化装置であって、
１以上の画像を、複数の矩形状のタイル単位で符号化する符号化手段と、
前記タイルの分割状態に関する分割情報を取得する第１の取得手段と、
前記１以上の画像のうち処理対象画像内の一部の領域を示す領域情報を取得する第２の取得手段と、
前記分割情報と前記領域情報とに基づいて、前記一部の領域を再生する場合に使用するタイルを決定する決定手段と、
前記決定されたタイルの識別情報を含む再生情報を生成する生成手段と、
を有し、
前記符号化手段は、前記決定されたタイルを、他のタイルを参照せずに符号化することにより符号化データを生成し、当該符号化データと、前記分割情報と、前記再生情報とを多重化した符号化ストリームを出力することを特徴とする画像符号化装置。
【請求項２】
前記決定されたタイルの識別情報は、前記決定されたタイルを前記処理対象画像内におけるラスタ・スキャン順で示したタイル番号であることを特徴とする請求項１に記載の画像符号化装置。
【請求項３】
前記決定されたタイルの識別情報は、前記処理対象画像内における前記決定されたタイルの水平位置及び垂直位置を示したタイル座標であることを特徴とする請求項１に記載の画像符号化装置。
【請求項４】
前記符号化手段は、前記再生情報を、前記符号化ストリームを復号する際に必要に応じて参照することが可能な補足情報の一部として多重化することを特徴とする請求項１記載の画像符号化装置。
【請求項５】
前記符号化手段は、前記再生情報を、前記１以上の画像を含むシーケンス全体の符号化に関わる情報が含まれたヘッダ内のビデオの表示情報に関わるパラメータの一部として多重化することを特徴とする請求項１に記載の画像符号化装置。
【請求項６】
前記符号化手段は、前記再生情報で示されたタイルに対応する符号化データを、他のタイルに対応する符号化データに先んじて前記符号化ストリーム内に多重化することを特徴とする請求項１に記載の画像符号化装置。
【請求項７】
画像復号装置であって、
１以上の画像を、複数の矩形状のタイル単位で符号化された符号化ストリームを復号する復号手段と、
前記タイルのサイズに関する分割情報を取得する第１の取得手段と、
前記１以上の画像のうち処理対象画像の一部の領域を再生する場合に使用するタイルの識別情報を含む再生情報を取得する第２の取得手段と、
前記分割情報と前記再生情報とに基づいて、前記一部の領域を再生する場合に使用するタイルを決定する決定手段と、
を有し、
前記復号手段は、前記決定されたタイルを、他のタイルを参照せずに復号することを特徴とする画像復号装置。
【請求項８】
画像符号化方法であって、
１以上の画像を、複数の矩形状のタイル単位で符号化する符号化工程と、
前記タイルの分割状態に関する分割情報を取得する第１の取得工程と、
前記１以上の画像のうち処理対象画像内の一部の領域を示す領域情報を取得する第２の取得工程と、
前記分割情報と前記領域情報とに基づいて、前記一部の領域を再生する場合に使用するタイルを決定する決定工程と、
前記決定されたタイルの識別情報を含む再生情報を生成する生成工程と、
を有し、
前記符号化工程は、前記決定されたタイルを、他のタイルを参照せずに符号化することにより符号化データを生成し、当該符号化データと、前記分割情報と、前記再生情報とを多重化した符号化ストリームを出力することを特徴とする画像符号化方法。
【請求項９】
画像復号方法であって、
１以上の画像を、複数の矩形状のタイル単位で符号化された符号化ストリームを復号する復号工程と、
前記タイルのサイズに関する分割情報を取得する第１の取得工程と、
前記１以上の画像のうち処理対象画像の一部の領域を再生する場合に使用するタイルの識別情報を含む再生情報を取得する第２の取得工程と、
前記分割情報と前記再生情報とに基づいて、前記一部の領域を再生する場合に使用するタイルを決定する決定工程と、
を有し、
前記復号工程は、前記決定されたタイルを、他のタイルを参照せずに復号することを特徴とする画像復号方法。
【請求項１０】
コンピュータが読み出して実行することにより、前記コンピュータを、請求項１に記載の画像符号化装置として機能させることを特徴とするプログラム。
【請求項１１】
コンピュータが読み出して実行することにより、前記コンピュータを、請求項７に記載の画像復号装置として機能させることを特徴とするプログラム。
【請求項１２】
前記一部の領域は、前記処理対象画像内の注目領域であって、
前記決定手段は、前記注目領域内に含まれるタイルを決定し、
前記生成手段は、前記決定されたタイルを示す注目領域情報を生成することを特徴とする請求項１に記載の画像符号化装置。
【請求項１３】
前記一部の領域は、前記画像のサイズより小さいサイズで表示するプレビューで使用する領域であって、
前記決定手段は、前記プレビューで使用する領域に対応するタイルを決定することを特徴とする請求項１に記載の画像符号化装置。
【請求項１４】
前記符号化手段は、前記処理対象画像内の特定のタイルを符号化する場合に、前記処理対象画像内の他のタイルと、前記処理対象画像に対応する参照対象画像内の、前記処理対象画像の前記特定のタイルに対応するタイル以外のタイルとを参照せずに符号化することを特徴とする請求項１に記載の画像符号化装置。
【請求項１５】
前記決定されたタイルの識別情報は、前記決定されたタイルを前記処理対象画像内におけるラスタ・スキャン順で示したタイル番号であることを特徴とする請求項７に記載の画像復号装置。
【請求項１６】
前記決定されたタイルの識別情報は、前記処理対象画像内における前記決定されたタイルの水平位置及び垂直位置を示したタイル座標であることを特徴とする請求項７に記載の画像復号装置。
【請求項１７】
前記第２の取得手段が取得する前記再生情報は、前記符号化ストリームを復号する際に必要に応じて参照することが可能な補足情報の一部として、前記符号化ストリームに多重化された情報であることを特徴とする請求項７に記載の画像復号装置。
【請求項１８】
前記第２の取得手段が取得する前記再生情報は、前記１以上の画像を含むシーケンス全体の符号化に関わる情報が含まれたヘッダ内のビデオの表示情報に関わるパラメータの一部として、前記符号化ストリームに多重化された情報であることを特徴とする請求項７に記載の画像復号装置。
【請求項１９】
前記復号手段は、前記再生情報で示されたタイルに対応する符号化データを、他のタイルに対応する符号化データに先んじて多重化された前記符号化ストリームを復号することを特徴とする請求項７に記載の画像復号装置。
【手続補正２】
【補正対象書類名】明細書
【補正対象項目名】００１４
【補正方法】変更
【補正の内容】
【００１４】
上述課題を解決するため、本発明の画像符号化装置は以下の構成を有する。即ち、画像符号化装置であって、１以上の画像を、複数の矩形状のタイル単位で符号化する符号化手段と、前記タイルの分割状態に関する分割情報を取得する第１の取得手段と、前記１以上の画像のうち処理対象画像内の一部の領域を示す領域情報を取得する第２の取得手段と、前記分割情報と前記領域情報とに基づいて、前記一部の領域を再生する場合に使用するタイルを決定する決定手段と、前記決定されたタイルの識別情報を含む再生情報を生成する生成手段と、を有し、前記符号化手段は、前記決定されたタイルを、他のタイルを参照せずに符号化することにより符号化データを生成し、当該符号化データと、前記分割情報と、前記再生情報とを多重化した符号化ストリームを出力することを特徴とする。